(57)【要約】【課題】防水型の台秤装置としても使用できながら、台秤装置の高さを低めに抑えることができ、かつ、粉塵などが付着して計量対象物に混入することを最小限に抑えることができる台秤装置を提供する。【解決手段】台秤装置１は、その上面部２ａ、側面部２ｂおよび下面部２ｃで覆われているとともに上面部２ａが計量対象物を載せる載台として用いられる台秤本体２と、この台秤本体２の内部に配設されて固定部３ａおよび可動部３ｂを有するロードセル３と、台秤本体２から下方に突出する姿勢で配置された脚部４と、を備えている。台秤本体２の下面部２ｃには、脚部４を下方に突出させるための孔（脚部挿通孔）５が設けられ、台秤本体２の下部における孔５の周囲と脚部４との間の隙間が、弾性および可撓性を有して変形自在の可撓性カバー８により覆われている。【選択図】図１
2019070572.tif 000002
【特許請求の範囲】
【請求項１】
その上面部、側面部および下面部で覆われているとともに上面部が計量対象物を載せる載台または載台を支持する支持部として用いられる台秤本体と、
この台秤本体の内部に配設されて固定部および可動部を有するロードセルと、
台秤本体から下方に突出する姿勢で配置された脚部と、
を備え、
台秤本体の下部に、脚部を突出させるための孔が設けられ、
台秤本体がロードセルの可動部に固定され、
脚部がロードセルの固定部側に取り付けられ、
台秤本体の下部における孔の周囲と脚部との間の隙間を覆う可撓性カバーが設けられている
ことを特徴とする台秤装置。
【請求項２】
台秤本体の下部に、下方に延びる本体側筒状部が設けられ、
脚部に、当該台秤装置の設置面に載せられる設置部と、この設置部から上方に延びる脚部側筒状部と、が設けられ、
可撓性カバーが、本体側筒状部と脚部側筒状部との間を覆うように配設されている
ことを特徴とする請求項１に記載の台秤装置。
【請求項３】
可撓性カバーにおける、本体側筒状部に取り付ける箇所の直径が、脚部側筒状部に取り付ける箇所の直径よりも大きい
ことを特徴とする請求項２に記載の台秤装置。
【請求項４】
可撓性カバーは、蛇腹形状とされ、
この可撓性カバーを外周側から覆う直筒状のカバーケースが設けられている
ことを特徴とする請求項２または３に記載の台秤装置。
【請求項５】
可撓性カバーは平板形状であり、
この可撓性カバーが、台秤本体の孔の周囲と脚部との間の隙間を、孔に沿って横方向に広がって孔を塞ぐように配設されている
ことを特徴とする請求項１に記載の台秤装置。
【請求項６】
脚部は、当該台秤装置の設置面に載せられる設置部と、この設置部から上方に延びてロードセル支持枠に上部が取り付けられる脚軸と、設置部における脚軸よりも外周側で上方に延びる脚部側筒状部とを有し、
ロードセルに接続された配線が、前記脚軸に組付けられ、脚部側筒状部から外部に取り出されている
ことを特徴とする請求項１〜５の何れか１項に記載の台秤装置。
【請求項７】
台秤本体の内部に、ロードセルの固定部が組み付けられてロードセルを支持するロードセル支持枠が設けられ、
このロードセル支持枠に、ロードセルに接続されたロードセル接続配線と脚部を通して外部に出される外部接続配線の端部とを接続する端子接続部が、取り付けられている
ことを特徴とする請求項１〜６の何れか１項に記載の台秤装置。
【請求項８】
台秤本体の内部空間と、台秤本体の外部の粉塵が発生していない空間とを接続する空気逃げ用配管が、脚部に設けられた脚部側筒状部を通して配設されていることを特徴とする請求項１〜７の何れか１項に記載の台秤装置。
【発明の詳細な説明】
【技術分野】
【０００１】
本発明は台秤装置に関し、特に防水型の台秤装置として用いると好適な台秤装置に関するものである。
【背景技術】
【０００２】
防水型の台秤装置としても使用することが可能な台秤装置は、例えば特許文献１に開示されている。図６に示すように、この台秤装置７０は、ロードセル７１が内蔵されている台秤本体７２と、計量対象物が載せられる載台７３と、を備えている。ロードセル７１の固定部７１ａは台秤本体７２の下面７２ａに固定されている。
【０００３】
一方、荷重を受けるロードセル７１の可動部７１ｂには、ロードセル７１の上方で横方向に延びる略Ｌ字形状の取付け用ブラケット７４と、取付け用ブラケット７４から上方に延びて台秤本体７２（詳しくは、台秤本体７２に形成された孔部７２ｃ）から突出する支柱７５と、が取り付けられている。そして、台秤本体７２の上面部７２ｂと載台７３の下面部とにわたって、支柱７５を外周側から覆うように、蛇腹状で伸縮自在の可撓性カバー７６が取り付けられており、この可撓性カバー７６により、台秤本体７２の上面部７２ｂに形成した孔部７２ｃを通して台秤本体７２の内部に水や埃などが入らないよう防水されている。
【０００４】
この台秤装置７０を用いると、台秤本体７２の内部に水や埃などが入ることを防止できる。また、台秤装置７０を水洗いすることで、台秤装置７０に付着した粉塵を簡単に除去することができる。したがって、食品や医薬品などの計量対象物を計量する際に、前もって台秤装置７０を水洗いすることで、以前に計量した計量対象物を含む粉塵などが計量対象物に混入することを防止することができる。
【先行技術文献】
【特許文献】
【０００５】
【特許文献１】特開昭６２−１８２６２５号公報
【発明の概要】
【発明が解決しようとする課題】
【０００６】
しかしながら、上記した従来の防水型としても使用できる台秤装置７０では、ロードセル７１が内蔵されている台秤本体７２から支柱７５が上方に突出される構造であるため、台秤装置７０の高さが大きくなってしまうという短所がある。また、載台７３の真下に、蛇腹状の可撓性カバー７６が配置されるため、計量箇所にて舞う粉塵などが計量箇所に近い可撓性カバー７６に比較的付着し易くなる。また、載台７３が台秤本体７２よりも大きい場合や載台７３上に大きなもの（粉体供給装置など）を載せている場合には、可撓性カバー７６に粉塵などが付着すると、水洗いする際などに可撓性カバー７６に手が届き難くなって、粉塵などを除去し難くなる短所もある。
【０００７】
本発明は上記課題を解決するもので、防水型の台秤装置としても使用できながら、台秤装置の高さを低めに抑えることができ、かつ、粉塵などが付着して計量対象物に混入することを最小限に抑えることができる台秤装置を提供することを目的とするものである。
【課題を解決するための手段】
【０００８】
上記課題を解決するために本発明の台秤装置は、その上面部、側面部および下面部が覆われているとともに上面部が計量対象物を載せる載台または載台を支持する支持部として用いられる台秤本体と、この台秤本体の内部に配設されて固定部および可動部を有するロードセルと、台秤本体から下方に突出する姿勢で配置された脚部と、を備え、台秤本体の下部に、脚部を突出させるための孔が設けられ、台秤本体がロードセルの可動部に固定され、脚部がロードセルの固定部側に取り付けられ、台秤本体の下部における孔の周囲と脚部との間の隙間を覆う可撓性カバーが設けられていることを特徴とする。
【０００９】
上記構成によれば、上面部、側面部および下面部が覆われている台秤本体の上面部が計量対象物を載せる載台または載台を支持する支持部として用いるとともに、台秤本体の下部に設けた孔から脚部を突出させる構成であるので、台秤装置の高さを低く抑えることが可能となる。また、可撓性カバーにより、台秤本体の下部における孔の周囲と脚部との間の隙間を覆うので、全体を水洗いすることが可能で防水型の台秤装置としても使用できる台秤装置を得ることができる。また、可撓性カバーは、載台として使用される台秤本体の上面部から離れた台秤本体の下方に設けられることとなるため、可撓性カバーが計量箇所に近い載台の下方に配設されている場合と比較して、粉塵などが可撓性カバーに付着し難くなる。また、可撓性カバーが設けられる箇所は、載台として用いられる台秤本体の上面部から離れているため、台秤本体に大きなもの（粉体供給装置など）を載せている場合でも、水洗いする際などに可撓性カバーに手が届き易くなって、粉塵などを除去し易くなる。
【００１０】
また、本発明の台秤装置は、台秤本体の下部に、下方に延びる本体側筒状部が設けられ、脚部に、当該台秤装置の設置面に載せられる設置部と、この設置部から上方に延びる脚部側筒状部と、が設けられ、可撓性カバーが、本体側筒状部と脚部側筒状部との間を覆うように配設されていることを特徴とする。この構成によれば、可撓性カバーが、本体側筒状部と脚部側筒状部との間を覆うように配設されているので、台秤本体だけでなく可撓性カバーも水洗いし易くなり、さらに、この可撓性カバーの台秤本体や脚部への取付箇所も筒状であるので側方などから水洗いし易くなる。
【００１１】
なお、この場合に、可撓性カバーにおける、本体側筒状部に取り付ける箇所の直径が、脚部側筒状部に取り付ける箇所の直径よりも大きいと好適である。この構成によれば、台秤本体に脚部を取り付けたままの状態で、可撓性カバーを取り外したり装着したりする際に、可撓性カバーの本体側筒状部に取り付ける箇所を径方向に広げたりしなくても、脚部側筒状部の外側を通して着脱することができる。
【００１２】
また、本発明の台秤装置において、可撓性カバーは、蛇腹形状とされ、この可撓性カバーを外周側から覆う直筒状のカバーケースが設けられていると好適である。この構成によれば、直筒状のカバーケースにより可撓性カバーが覆われるため、可撓性カバーに粉塵などが付着し難くなる。
【００１３】
また、可撓性カバーが平板形状であり、この可撓性カバーが、台秤本体の孔の周囲と脚部との間の隙間を、孔に沿って横方向に広がって孔を塞ぐように配設されていてもよい。この構成によっても、全体を水洗いすることが可能で防水型の台秤装置としても使用できる台秤装置を得ることができる。また、台秤装置の高さをより低く抑えることが可能となるとともに、可撓性カバーに粉塵などがさらに付着し難い。
【００１４】
また、本発明の台秤装置において、脚部が、当該台秤装置の設置面に載せられる設置部と、この設置部から上方に延びてロードセル支持枠に上部が取り付けられる脚軸と、設置部における脚軸よりも外周側で上方に延びる脚部側筒状部とを有し、ロードセルに接続された配線を、前記脚軸に組付け、脚部側筒状部から外部に取り出してもよい。この構成によれば、ロードセルに接続された配線の荷重が可動部側に負荷しないため、計量精度を良好に維持することができるとともに、ロードセルに接続された配線を良好に外部に取り出すことができる。
【００１５】
また、本発明の台秤装置において、台秤本体の内部に、ロードセルの固定部が組み付けられてロードセルを支持するロードセル支持枠が設けられ、このロードセル支持枠に、ロードセルに接続されたロードセル接続配線と脚部を通して外部に出される外部接続配線の端部とを接続する端子接続部が、取り付けられていてもよい。この構成によれば、台秤装置から外部に出される外部接続配線として、耐薬品性に優れた素材のものに変更する場合でも良好に対応して、接続することができる。
【００１６】
また、台秤本体の内部空間と、台秤本体の外部の粉塵が発生していない空間とを接続する空気逃げ用配管を、脚部に設けられた脚部側筒状部を通して配設してもよい。この構成により、台秤本体の内部空間と、台秤本体の外部の粉塵が発生していない空間とを良好に連通することができる。これにより、台秤装置の設置環境の変化などにより、台秤本体の内部空間の圧力が上昇して、計量精度に悪影響を及ぼすことを防止できる。
【発明の効果】
【００１７】
本発明によれば、その上面部、側面部および下面部が覆われているとともに上面部が計量対象物を載せる載台または載台を支持する支持部として用いられる台秤本体と、この台秤本体の内部に配設されて固定部および可動部を有するロードセルと、台秤本体から下方に突出する姿勢で配置された脚部と、を備え、台秤本体の下部に、脚部を突出させるための孔を設け、台秤本体がロードセルの可動部に固定され、脚部がロードセルの固定部側に取り付けられ、台秤本体の下部における孔の周囲と脚部との間の隙間を可撓性カバーにより覆うことにより、全体を水洗いすることが可能で防水型の台秤装置としても使用できる台秤装置を得ることができるとともに台秤装置の高さを低く抑えることが可能となる。また、載台として使用される台秤本体の上面部から離れた台秤本体の下方に設けられることとなるため、粉塵などが可撓性カバーに付着し難くなるとともに、水洗いする際などに可撓性カバーに手が届き易くなって、粉塵などを除去し易くなり、ひいては、粉塵などが付着して計量対象物に混入することを最小限に抑えることができる。
【００１８】
また、台秤本体の下部に、下方に延びる本体側筒状部を設けるとともに、脚部に、当該台秤装置の設置面に載せられる設置部と、この設置部から上方に延びる脚部側筒状部と、を設け、可撓性カバーにより本体側筒状部と脚部側筒状部との間を覆うことにより、台秤本体だけでなく可撓性カバーも水洗いし易くなり、さらに、この可撓性カバーの台秤本体や脚部への取付箇所も筒状であるので側方などから水洗いし易くなり、水洗い作業する際の作業能率を向上させることができる。
【００１９】
また、この場合に、可撓性カバーにおける、本体側筒状部に取り付ける箇所の直径を、脚部側筒状部に取り付ける箇所の直径よりも大きくすることにより、台秤本体に脚部を取り付けたままの状態で、可撓性カバーを取り外したり装着したりする際に、可撓性カバーの本体側筒状部に取り付ける箇所を径方向に広げたりしなくても、脚部側筒状部の外側を通して着脱することができ、可撓性カバーを着脱する際の作業能率を向上させることができる。
【００２０】
また、可撓性カバーが蛇腹形状である場合に、この可撓性カバーを外周側から覆う直筒状のカバーケースを設けることにより、直筒状のカバーケースによって可撓性カバーが覆われるため、可撓性カバーやカバーケースに粉塵などが付着し難くなる。また、可撓性カバーやカバーケースに粉塵などが付着することによって計量精度が低下する影響を最小限に抑えることもできる。
【００２１】
また、可撓性カバーを平板形状とするとともに、この可撓性カバーによって、台秤本体の孔の周囲と脚部との間の隙間を、孔に沿って横方向に広がって孔を塞ぐことによっても、全体を水洗いすることが可能な台秤装置を得ることができる。また、台秤装置の高さをより低く抑えることが可能となる。また、可撓性カバーに粉塵などがさらに付着し難いため、可撓性カバーに粉塵などが付着することによる計量精度が低下する影響を最小限に抑えることもできる。
【００２２】
また、脚部が、当該台秤装置の設置面に載せられる設置部と、この設置部から上方に延びてロードセル支持枠に上部が取り付けられる脚軸と、設置部における脚軸よりも外周側で上方に延びる脚部側筒状部とを有し、ロードセルに接続された配線を、前記脚軸に組付け、脚部側筒状部から外部に取り出すように構成することによりロードセルに接続された配線の荷重が可動部側に負荷しないため、計量精度を良好に維持することができるとともに、ロードセルに接続された配線を良好に外部に取り出すことができる。
【００２３】
また、台秤本体の内部に、ロードセルの固定部が組み付けられてロードセルを支持するロードセル支持枠を設け、このロードセル支持枠に、ロードセルに接続されたロードセル接続配線と脚部を通して外部に出される外部接続配線の端部とを接続する端子接続部を、取り付けることにより、台秤装置から外部に出される外部接続配線として、耐薬品性に優れた素材のものに変更する場合でも良好に対応して、接続することができる。
【００２４】
また、台秤本体の内部空間と、台秤本体の外部の粉塵が発生していない空間とを接続する空気逃げ用配管を、脚部に設けられた脚部側筒状部を通して配設することにより、台秤装置の設置環境の変化などにより、台秤本体の内部空間の圧力が上昇して、計量精度に悪影響を及ぼすことを防止でき、台秤装置としての信頼性を向上させることができる。
【図面の簡単な説明】
【００２５】
【図１】本発明の実施の形態に係る台秤装置の概略的な正面断面図である。
【図２】同台秤装置の部分切欠平面図で、この図の下側領域は図１のＡ−Ａ線矢視断面図（平面断面図）である。
【図３】同台秤装置の右側面断面図である。
【図４】同台秤装置の変形例の脚部近傍箇所を示す要部正面断面図である。
【図５】同台秤装置の他の変形例の脚部近傍箇所を示す要部正面断面図である。
【図６】従来の台秤装置の断面図である。
【発明を実施するための形態】
【００２６】
以下、本発明の実施の形態に係る台秤装置を、図面に基づき説明する。ここで、本発明の実施の形態に係る台秤装置は、後述するように、防水型の台秤装置としても使用することができる。
【００２７】
図１〜図３に示すように、本発明の実施の形態に係る台秤装置１は、その上面部２ａ、側面部２ｂおよび下面部２ｃで覆われている（周囲を囲っている）とともに上面部２ａが計量対象物を載せる載台として用いられる台秤本体（本体覆い部）２と、この台秤本体２の内部に配設されて固定部３ａおよび可動部３ｂを有するロードセル３と、台秤本体２から下方に突出する姿勢で配置された脚部４と、を備えている。また、台秤本体２は、後述する本体支持枠（載台側支持枠）６（６ａ〜６ｄ）を介して、ロードセル３の可動部３ｂに固定され、脚部４は、後述するロードセル支持枠７（７ａ〜７ｃ）を介して、ロードセル３の固定部３ａ側に取り付けられている。
【００２８】
上記構成に加えて、台秤本体２の下部（下面部２ｃ）には、脚部４を下方に突出させるための孔（脚部挿通孔）５が設けられ、台秤本体２の下部における孔５の周囲と脚部４との間の隙間が、弾性および可撓性を有して変形自在の可撓性カバー８により覆われている。
【００２９】
台秤装置１の各構成要素について詳しく説明する。
ロードセル３は、複数の起歪部（薄肉部）を有する起歪体に、変形することで抵抗値が変動するストレインゲージが張り付けられており、所定箇所に固定される（すなわち、基準位置に配置される）固定部３ａと、荷重対象物の重量が付加されて前記起歪部（薄肉部）を介して変位する可動部３ｂとを有している。また、ストレインゲージは複数設けられてブリッジ接続されてブリッジ回路が形成されているとともに、このブリッジ回路に接続された歪出力回路やＡ／Ｄ変換器、ロードセルＣＰＵ（ロードセル中央処理装置）などを有する。また、ロードセル３には配線部９が接続されており、前記ブリッジ回路や歪出力回路やＡ／Ｄ変換器、ロードセルＣＰＵなどが、配線部９（詳しくは配線部９に設けられている給電用の配線）を介して給電されるとともに、計量値に対応する値を出力する信号を配線部９（詳しくは配線部９に設けられている信号入出力用の配線）から出力する。なお、ロードセルＣＰＵなどは、必ずしもロードセル３に設けられていなくてもよく、配線部９を通して、台秤装置１の外部に設けられる指示計や、その他の外部の制御部などに設けられていてもよい。なお、この実施の形態では、台秤装置１にロードセル３が１つだけ設けられている場合を述べたが、これに限るものではなく、複数のロードセルが設けられていてもよい。
【００３０】
ロードセル３の可動部３ｂには、台秤本体２の上面部２ａに下方から取り付けられた本体支持枠（載台側支持枠）６ａなどを含む本体支持枠６（６ａ〜６ｄ）や固定用ねじなどを介して、台秤本体２が取り付けられて（固定されて）支持されている。そして、載台としても兼用される台秤本体２に負荷された荷重が、台秤本体２および本体支持枠６（６ａ〜６ｄ）などを介して、ロードセル３の可動部３ｂに負荷されて計量されるよう構成されている。
【００３１】
また、ロードセル３の固定部３ａは、矩形枠形状に組まれるなどしたロードセル支持枠７（７ａ〜７ｃ）などにより固定されて支持されている。そして、矩形枠形状のロードセル支持枠７ａにおける平面視して四隅となる箇所に、脚部４に設けられている脚軸４ａが下方から突入された状態で組み付けられている。
【００３２】
脚部４は、台秤装置１の設置面Ｓに載せられる平面視円形の設置部４ｂと、この設置部４ｂから上方に延びてロードセル支持枠７ａに上部が取り付けられる脚軸４ａと、設置部４ｂにおける脚軸４ａよりも外周側で上方に延びる平面視円形の脚部側筒状部４ｃとを有する。脚軸４ａは、少なくとも上部がねじ軸とされるとともに、この脚軸４ａの上部に、ロードセル支持枠７ａに溶着された固着ナット１１Ａと、この固着ナット１１Ａの直ぐ下方に続けて配設されている位置固定用ナット１１Ｂとが螺合され、ロードセル支持枠７ａの螺合箇所の高さ（位置）を調整可能な状態で組み付けられている。すなわち、この螺合箇所の高さを調節して、載台としての台秤本体２の上面部２ａが水平となるように位置調整可能とされている。
【００３３】
また、台秤本体２の下部（下面部２ｃ）に、平面視円形で下方に延びる本体側筒状部２ｄが設けられ、変形自在で可撓性を有する可撓性カバー８が、台秤本体２の本体側筒状部２ｄと脚部４の脚部側筒状部４ｃとの間を覆うように配設されている。この実施の形態では、可撓性カバー８は、蛇腹形状とされ、本体側筒状部２ｄに取り付ける箇所の直径Ｘが、脚部側筒状部４ｃに取り付ける箇所の直径Ｙよりも大きい形状とされている。また、この実施の形態では、脚部側筒状部４ｃの直径が設置部４ｂの直径と同じ寸法とされているが、脚部側筒状部４ｃの直径が設置部４ｂの直径よりも大きい（すなわち、設置部４ｂの直径以上である）ことが好ましい。
【００３４】
さらに、この実施の形態では、可撓性カバー８を外周側から覆う直筒状のカバーケース１２が設けられている。そして、この実施の形態では、カバーケース１２により、可撓性カバー８を下方からも覆うよう構成されており、例えば、カバーケース１２の上端部の一部を鍔状に広げてねじなどにより台秤本体２の下面部に取り付けるよう構成するとよいがこれに限るものではない。また、カバーケース１２により、可撓性カバー８を側方からのみ覆うよう構成してもよい。
【００３５】
なお、カバーケース１２は必ずしも設けなくてもよく、図４に示すように、カバーケース１２を設けずに、可撓性カバー８が外部に露出する構成としてもよい。この場合には、例えば、可撓性カバー８における脚部４の脚部側筒状部４ｃを覆う箇所を外周から締め付ける締付バンド１３や、可撓性カバー８における台秤本体２の本体側筒状部２ｄを外周から締め付ける締付バンド１４を設けて、可撓性カバー８を固定するよう構成すればよい。しかし、これに限るものではなく、締付バンド１３、１４を設けることなく、可撓性カバー８における脚部４の脚部側筒状部４ｃを覆う箇所の直径を小さめに形成して、可撓性カバー８の弾性（収縮性）により係止したり、可撓性カバー８における台秤本体２の本体側筒状部２ｄを覆う箇所の直径を小さめに形成して、可撓性カバー８の弾性（収縮性）により係止したりしてもよい。また、カバーケース１２を設ける場合でもカバーケース１２の筒状の上端部を、上記と同様な締付バンドを用いて固定してもよい。
【００３６】
また、この実施の形態では、ロードセル３の固定部３ａが組み付けられてロードセル３を支持するロードセル支持枠７ａに、ロードセル３に接続されたロードセル接続配線９ａと脚部４を通して外部に出される外部接続配線９ｂの端部とを接続する端子接続部１５が取り付けられており、端子接続部１５内で、ロードセル接続配線９ａと外部接続配線９ｂとが電気的に接続されている。
【００３７】
外部接続配線９ｂは、脚部４の脚軸４ａに結束バンド１６などの結束手段により組付けられ、脚部側筒状部４ｃに形成された孔（配線保持具取付用孔）４ｅ（図３参照）から外部に取り出されている。なお、この外部接続配線９ｂが外部に取り出される脚部側筒状部４ｃの孔４ｅには、防水型の配線保持具（いわゆるケーブルクランプで、周方向に対して割られたシール材やゴムブッシュ、締付キャップなどからなる）１７が取り付けられ、脚部側筒状部４ｃの内側領域、すなわち台秤装置１の内部を密閉状態に保持しながら、外部接続配線９ｂが良好に取り出されている。
【００３８】
また、この実施の形態では、台秤本体２の内部空間と、台秤本体２の外部の粉塵が発生していない空間とを接続する空気逃げ用配管１８が、脚部４に設けられた脚部側筒状部４ｃを通して配設されている。具体的には、一部の脚部４の脚部側筒状部４ｃに、空気逃げ用配管１８を通す孔（空気逃げ用配管孔）４ｆが形成されるとともに、この孔４ｆに、孔４ｆと空気逃げ用配管１８との間を密閉するシール部材１９が組み付けられている。なお、このシール部材１９としては、前記外部接続配線９ｂを取り出す箇所に設けられている配線保持具１７と同様ないわゆるケーブルクランプと同様な構成のものを用いてもよいが、これに限るものではない。
【００３９】
上記構成の台秤装置１において、載台として用いられている台秤本体２の上面部２ａに計量対象物を載せることで、この荷重が台秤本体２を介してロードセル３の可動部３ｂに作用するので、荷重がロードセル３によって計量され、計量値に対応する信号が配線部９など（ロードセル接続配線９ａや外部接続配線９ｂなど）を通して出力される。例えば、台秤本体２に、食品や医薬品などの原料となる粉体を供給する供給装置などを載せて粉体を供給（排出）するに際して、供給（排出）量を台秤装置１により計量することで、時間当たりに一定重量供給（いわゆる定量供給）することなどが可能となる。
【００４０】
また、上記構成によれば、上面部２ａ、側面部２ｂおよび下面部２ｃが覆われている台秤本体２の上面部２ａが計量対象物を載せる載台として用いられるとともに、台秤本体２の下部に設けた孔（脚部挿通孔）５から脚部を突出させる構成であるので、図６に示すような台秤本体７２から支柱７５を上方に突出させて載台７３を支持する従来構成の台秤装置７０と比較して、台秤装置１の高さを低く抑えることができる。
【００４１】
なお、必ずしも、台秤本体２の上面部２ａ自体を載台として用いなくてもよく、台秤本体の上面部に載台を載せて、載台を支持する支持部として用いてもよい。但し、この場合には、台秤本体２の上面部２ａと載台との間の寸法分、若干台秤装置の高さが大きくなるが、この箇所に防水用カバーなどは設けなくて済むので、台秤装置の高さを比較的低く抑えることが可能である。
【００４２】
また、上記構成によれば、可撓性カバー８により、台秤本体２の下部における孔（脚部挿通孔）５の周囲と脚部４との間の隙間を覆うので、台秤装置１全体を支障なく水洗いすることができて防水型の台秤装置１としても使用できる。また、可撓性カバー８は、載台として使用される台秤本体２の上面部２ａから離れた台秤本体２の下方箇所に設けられているため、従来構成の台秤装置７０のように可撓性カバー７６が計量箇所に近い載台７３の下方に配設されている場合と比較して、粉塵などが可撓性カバー８に付着し難くなる。また、可撓性カバー８が設けられる箇所は、載台として用いられる台秤本体２の上面部２ａから離れているため、台秤本体２に大きなもの（粉体供給装置など）を載せている場合でも、水洗いする際などに可撓性カバー８に手が届き易くなって、粉塵などを除去し易い。また、台秤本体２の下部と脚部４との間に可撓性カバー８が取り付けた構造であるので、台秤装置１を分解などしなくても、脚部４から可撓性カバー８を取り外して水洗いすることも比較的容易に行うことができる。すなわち、従来構成の台秤装置７０では、載台７３と台秤本体７２との間にある支柱７５に可撓性カバー７６を被せた構造であるので、可撓性カバー７６を取り外して水洗いしようとしても、載台７３を支柱７５から取り外すなどしなければならず、多くの手間や時間がかかってしまうが、本構成によればこのようなことがない。このように本構成によれば、可撓性カバー８に付着するなどした粉塵などを除去し易く、ひいては、粉塵などが可撓性カバー８に付着して計量対象物に混入することを最小限に抑えることができ、ひいては台秤装置１としての信頼性を向上させることができる。
【００４３】
また、上記構成によれば、台秤本体２の下部に、下方に延びる本体側筒状部２ｄを設けるとともに、脚部４に、設置部４ｂから上方に延びる脚部側筒状部４ｃを設け、可撓性カバー８により本体側筒状部２ｄと脚部側筒状部４ｃとの間を覆うことにより、可撓性カバー８を水洗いし易くなるとともに、本体側筒状部２ｄや脚部側筒状部４ｃも側方から水洗いし易くなり、水洗い作業する際の作業能率を向上させることができる。
【００４４】
また、上記のように、可撓性カバー８における、本体側筒状部２ｄに取り付ける箇所の直径Ｘを、脚部側筒状部４ｃに取り付ける箇所の直径Ｙよりも大きくすることにより、台秤本体２に脚部４を取り付けたままの状態で、可撓性カバー８を取り外したり装着したりする際に、可撓性カバー８の本体側筒状部２ｄに取り付ける箇所を径方向に広げたりしなくても、脚部側筒状部４ｃの外側を通して着脱することができ、可撓性カバー８を着脱する際の作業能率を向上させることができる。また、脚部側筒状部４ｃの直径を設置部４ｂの直径以上に大きく構成する（すなわち、設置部４ｂの直径以上である）ことによっても、台秤本体２に脚部４を取り付けたままの状態で、可撓性カバー８を取り外したり装着したりする際に、可撓性カバー８の本体側筒状部２ｄに取り付ける箇所を径方向に広げたりしなくても、脚部側筒状部４ｃの外側を通して着脱することができ、可撓性カバー８を着脱する際の作業能率を向上させることができる。
【００４５】
また、上記のように、蛇腹形状の可撓性カバー８を外周側から覆う直筒状のカバーケース１２を設けることにより、直筒状のカバーケース１２によって可撓性カバー８が覆われるため、可撓性カバー８やカバーケース１２に粉塵などがより一層付着し難くなる。これにより、台秤装置１の水洗いをより簡単に行うことができるとともに、可撓性カバー８やカバーケース１２に粉塵などが付着することによって計量精度が低下する影響を最小限に抑えることができて、信頼性が向上する。
【００４６】
また、上記のように、ロードセル３の固定部３ａが組み付けられてロードセル３を支持するロードセル支持枠７（７ａ）に、ロードセル３に接続されたロードセル接続配線９ａと脚部４を通して外部に出される外部接続配線９ｂの端部とを接続する端子接続部１５を、取り付けることにより、台秤装置１から外部に出される外部接続配線９ｂとして、耐薬品性に優れた素材のものに変更する場合でも良好に対応しながら接続することができる。
【００４７】
なお、ロードセル接続配線９ａとして、一般的な耐久性を有するものが用いられる場合には、端子接続部１５を設けることなく、ロードセル接続配線９ａを外部接続配線としても用いてもよいことはもちろんである。また、この場合には、配線（ロードセル接続配線および外部接続配線）を脚部４の脚軸４ａに結束バンド１６などの結束手段により組付けると好適であり、この構成によれば、配線の荷重が可動部側（台秤本体２や可撓性カバー８）に負荷しない（接触しない）ため、計量精度を良好に維持することができるとともに、ロードセル３に接続された配線を良好に外部に取り出すことができる。
【００４８】
また、上記構成によれば、台秤本体２の内部空間と、台秤本体２の外部の粉塵が発生していない空間とを接続する空気逃げ用配管１８が、脚部４に設けられた脚部側筒状部４ｃを通して配設されているので、台秤装置１の設置環境の変化などにより、台秤本体２の内部空間の圧力が上昇して、計量精度に悪影響を及ぼすことを防止でき、台秤装置１としての信頼性をさらに向上させることができる。
【００４９】
ただし、必ずしも、空気逃げ用配管１８は設けなくてもよく、例えば、脚部側筒状部４ｃに孔を形成するとともに、この孔に、空気は通すが、粉塵などを通さないフィルタなどを配設してもよい。
【００５０】
また、上記実施の形態では、可撓性カバー８として蛇腹形状のものを用いた場合を述べたが、これに限るものではなく、図５に示すように、可撓性カバー２０が平板形状であり、この可撓性カバー２０が、台秤本体２の孔（脚部挿通孔）５の周囲と脚部４との間の隙間を、孔５に沿って横方向（半径方向）に広がって孔５を塞ぐように配設されていてもよい。なお、可撓性カバー２０としては、薄肉で変形可能な（すなわち、可撓性を有する）フィルム状のものを用いればよく、可撓性カバー２０の外周側が、台秤本体２の下面部２ｃにおける孔（脚部挿通孔）５の周囲の箇所に取り付けられ、可撓性カバー２０の内周側が、脚部４（脚軸４ａや脚軸４ａに嵌め込まれたナット２１の外周など）に固定されていればよい。また、図５に示すように、脚部４と可撓性カバー２０との接続箇所には、可撓性カバー２０を上下から挟み込む固定フランジ４ｄと押さえ板４ｅとを設けるとともに、固定フランジ４ｄに溶着されるとともに上面部が覆われた袋ナット４ｆに、押さえ板４ｅや固定フランジ４ｄに設けた挿通孔を通してボルト（またはねじ）４ｇを下方からねじ込んで、内部に水などが侵入することを防止すると好適である。
【００５１】
この構成によれば、上記実施の形態のような本体側筒状部２ｄなどを設けなくても済むとともに、可撓性カバー２０を設ける場合のようなある程度の上下長さも必要なくなるため、台秤装置の高さをより低く抑えることが可能となる。また、可撓性カバー２０は外部に対して下方に臨んだ状態で取り付けられているため、粉塵などが付着し難いため、可撓性カバー２０に粉塵などが付着することによる計量精度が低下する影響を最小限に抑えることができる。また、袋ナット４ｆにより、ボルト４ｇの挿通孔を通して水が浸入した場合でも、この水が内部に侵入することを防止できる。
【符号の説明】
【００５２】
１      台秤装置
２      台秤本体
２ｄ    本体側筒状部
３      ロードセル
４      脚部
４ａ    脚軸
４ｂ    設置部
４ｃ    脚部側筒状部
５      孔（脚部挿通孔）
６、６ａ〜６ｄ    本体支持枠（載台側支持枠）
７、７ａ〜７ｃ    ロードセル支持枠
８、２０    可撓性カバー
９      配線部
１２    カバーケース
１５    端子接続部
１８    空気逃げ用配管
【図１】
2019070572.tif 000003
【図２】
2019070572.tif 000004
【図３】
2019070572.tif 000005
【図４】
2019070572.tif 000006
【図５】
2019070572.tif 000007
【図６】
2019070572.tif 000008